(57)【要約】      （修正有）【課題】スマートバンドに備えられた一体型のパッケージ部品を複数の小型の部品として分散させ、装着時に腕にかかる部品の重みを均等に分散させることによって快適感を供することができて、さらに装着時間を大幅に削減することが可能なスマートバンドを提供する。【解決手段】スマートバンド１００は、伸縮性と導電性を有する配線１０３、１０４を用いて、スマートバンドに備えられた一体型のパッケージ部品を薄い小型の部品１０１、１０２に分割することにより、装着時に腕にかかる部品の重みを均等に分散させることができるため人に不快感を与えず、さらに該バンドを瞬時に腕に嵌め込むこともでき、装着時間が大幅に削減される。【選択図】図２
2018116432.tif 000002
【特許請求の範囲】
【請求項１】
複数の電子部品又は基板と、前記電子部品又は基板間を接続する少なくとも一本の配線とを備え、前記配線が導電性かつ伸縮性を有することを特徴とする環状のスマートバンド。
【請求項２】
前記複数の電子部品又は基板が、少なくとも一個の電子回路またはバッテリを有する、請求項１に記載のスマートバンド。
【請求項３】
前記配線で他の前記電子部品又は基板と接続されておらず、その内部に前記配線が貫通されている電子部品又は基板をさらに備えた、請求項１又は２に記載のスマートバンド。
【請求項４】
請求項１〜３のいずれか一項に記載のスマートバンドを用いたヘアバンド。
【発明の詳細な説明】
【技術分野】
【０００１】
本発明は、電子機能を有するスマートバンドに関する。
【背景技術】
【０００２】
従来、健康管理を訴求し、歩数や脈拍等を測定できる腕型スマートバンドはベルトに穴を空け、その穴を使ってスマートバンドを腕に固定させている。そのベルトが伸縮性を持たないため、スマートバンドを腕に装着させるため時間がかかる。最近、特許文献１のように、ベルトに伸縮性を持たして瞬時に腕に装着できるスマートバンドも出現したが、ベルトは導電性がなく、電力または信号を転送できないため、スマートバンドに必要な電子部品を一つのパッケージ（部品）に収納させる必要がある。そのため、スマートバンドをさらに小型化しようにも、該部品の分割による小型化が困難であるばかりか、一つの大きな部品が腕と接触するので、装着時に違和感がある。
【先行技術文献】
【特許文献】
【０００３】
【特許文献１】米国特許第８２６７３２５号明細書
【発明の概要】
【発明が解決しようとする課題】
【０００４】
従来のスマートバンドにおいて、ベルトに伸縮性がなく、ベルトを部品の両側に設けて、片側のベルトに穴を空け、反対側に穴に埋められる突起部品を設けている。スマートバンドを腕に装着させる際、その突起部品を穴に埋めてスマートバンドを腕に固定させている。しかし、正確に突起部品を穴に固定させるため、時間がかかる。特に、光の弱い夜において、穴の場所を特定できず、感触によりスマートバンドを腕に着けさせるため、非常に時間がかかる。
【０００５】
特許文献１に記載のスマートバンドの構成では、該スマートバンドを腕に装着させる際、ベルトには伸縮性があるため、瞬時に腕に嵌め込むことができ、装着時間を大幅に削減できる。しかし、ベルトは伸縮性があるが、導電性がなく、電力または信号を転送することができない。スマートバンドに必要な部品（各種センサー機能を有する基板（部品）、バッテリ、無線機能を有する基板（部品）、その他の部品等）を一つのパッケージに収納させなければならない。そのため、このパッケージの体積または厚さが大きくしなければならず、又、スマートバンドを腕に装着させる場合、腕と接触部品の重量が不均等となり、人に不愉快感を与えるという問題がある。
よって、本発明の課題は、スマートバンド用として必要な部品が一つのパッケージ部品として備えられているために、該スマートバンドを腕に装着した際に、パッケージ部品と腕とが接触するところにだけその重みが集中してしまい不快感を呈するところ、このパッケージ部品を複数の小型パッケージ部品として分散させ、装着時に腕にかかる部品の重みを均等に分散させることによって快適感を供するとともに、さらにスマートバンドの装着時間を大幅に削減することが可能なスマートバンドを提供することである。
【課題を解決するための手段】
【０００６】
本発明者等は上記の課題の解決に向け鋭意検討した結果、伸縮性と導電性とを有する配線を用いて、スマートバンドに備わる一体型のパッケージ部品を薄い小型の部品に分割することにより、装着時に腕にかかる部品の重みを均等に分散させることができるため人に不快感を与えず、さらに、配線が伸縮性を供するために瞬時に腕に嵌め込むこともできる装着時間が大幅に削減されたスマートバンドを提供することに成功した。
【０００７】
すなわち、本発明は以下のごとくのものである。
[１]  複数の電子部品又は基板と、前記電子部品又は基板間を接続する少なくとも一本の配線とを備え、前記配線が導電性かつ伸縮性を有することを特徴とする環状のスマートバンド。
[２]  前記複数の電子部品又は基板が、少なくとも一個の電子回路またはバッテリを有する、[１]に記載のスマートバンド。
[３]  前記配線で他の前記電子部品又は基板と接続されておらず、その内部に前記配線が貫通されている電子部品又は基板をさらに備えた、[１]又は[２]に記載のスマートバンド。
[４]  [１]〜[３]のいずれか一項に記載のスマートバンドを用いたヘアバンド。
【０００８】
なお、上記の発明の要件は、本発明の特徴の全てを列挙したものではない。また、これらの要件のサブコンビネーションもまた、発明となりうる。
【発明の効果】
【０００９】
配線の収縮性と導電性により、スマートバンドに備えられた部品（各種センサー機能を有する基板（部品）、バッテリ、無線機能を有する基板（部品）、その他の部品）を一つのパッケージに収納する必要がなく、薄い小型の部品に分割することができ、スマートバンドを装着後、接触する各部品の重みを均等に分散させることができるため、人に不快感を与えにくい。また、装着する際、伸縮性のある配線を伸ばして、瞬時に腕に嵌め込むこともでき、そのため装着時間を大幅に削減できる。
【図面の簡単な説明】
【００１０】
【図１】特許文献１に記載のスマートバンドの構成例を示す図である。
【図２】第１の態様のうち、実施例１の構成を示す図である。
【図３】第２の態様のうち、実施例２の構成を示す図である。
【発明を実施するための形態】
【００１１】
以下、発明の実施の形態にて本発明を説明するが、後記する実施形態は特許請求の範囲にかかる発明を限定するものではない。また、実施形態の中で説明されている特徴の組み合わせの全てが発明の解決手段に必須であるとは限らない。
本発明の第１の態様においては、電子回路またはバッテリを有する二つ以上の部品を持ち、それぞれの部品が伸縮性かつ導電性のある配線より接続されている環状のスマートバンドを提供する。
【００１２】
本発明の第２の態様においては、多数の部品があり、電子回路またはバッテリを有する少なくとも二つ以上の部品を持ち、この二つ以上の部品同士が伸縮性のある配線より接続されているのに加えて、伸縮性かつ導電性のある配線が部品又は基板と接続することなく、内部を貫通している部品をさらに備えた環状のスマートバンドを提供する。
各態様は任意に組み合わせることができる。
【００１３】
図２は、第１の態様のうち実施例１に記載の構成（１００）の概要を示す。本例の構成１００は、部品１または基板１（１０１）、部品２または基板２（１０２）、伸縮性のある配線１（１０３）、伸縮性の配線２（１０４）を備える。
【００１４】
伸縮性のある配線は、公知の方法を用いて得ることができる。
代表的な方法は、伸縮性のある芯材の周囲に導体線をらせん状に捲回する方法がある。芯材を伸長した状態で導体線を捲回し弛緩させると伸縮性の良い伸縮性のある配線を得ることができる。
【００１５】
部品１または基板１（１０１）及び部品２または基板２（１０２）は各種センサー（例えば、歩数を測定できる加速センサーや脈拍を測定できる脈拍センサー等）を有する部品または基板やスマホと通信できる無線機能を有する部品または基板や各部品に電力を供給するバッテリ等を有することができる。ただし、部品１または基板１（１０１）と部品２または基板２（１０２）は同じ機能を有さなくてもよい。
【００１６】
部品１または基板１（１０１）と部品２または基板２（１０２）とは伸縮性のある配線１（１０３）と伸縮性のある配線２（１０４）より接続される。伸縮性のある配線１（１０３）と伸縮性のある配線２（１０４）は伸縮性があり、１０５％〜３００％の伸長率が好ましい。尚、伸長率は下記式：
伸長率＝伸長されている時の配線の長さ／伸縮していない時の配線の長さ
により算出される。
【００１７】
たとえば、部品１または基板１（１０１）が歩数を測定できる部品または基板とスマホと通信可能な無線機能を行える部品または基板を有し、部品２または基板２（１０２）がバッテリを有する場合、部品２または基板２（１０２）は伸縮性のある配線１（１０３）或いは伸縮性のある配線２（１０４）を経由し、部品１または基板１（１０１）にある歩数を測定できる部品または基板とスマホと通信可能な無線機能を行える部品または基板に電力を供給することができる。
【００１８】
第１の態様のうち、実施例１の構成（１００）からなるスマートバンドについて、配線は伸縮性があり、配線が伸ばした状態で瞬時腕に装着することができ、また、スマートバンドに必要な機能は二つの部品または基板に分割され、部品１または基板１（１０１）と部品２または基板２（１０２）はそれぞれ薄く、小さく作ることができるため、装着後、重量が分散（２等分）され、人に違和感を与えにくい。
【００１９】
図３は、第２の態様のうち、実施例２の構成（２００）からなるスマートバンドの概要を示す。本例の構成２００は、部品１または基板１（２０１）、部品２または基板２（２０２）、伸縮性のある配線１（２０３）、伸縮性の配線２（２０４）、部品群１（２０５）、部品群２（２０６）を備える。
【００２０】
部品１または基板１（２０１）及び部品２または基板２（２０２）は各種センサー（例えば、歩数を測定できる加速センサーや脈拍を測定できる脈拍センサー等）を有する部品または基板やスマホと通信できる無線機能を有する部品または基板や各部品に電力を供給するバッテリ等を有することができる。ただ、部品１または基板１（２０１）と部品２または基板２（２０２）は同じ機能を有しなくてもよい。
【００２１】
部品１または基板１（２０１）と部品２または基板２（２０２）とは伸縮性のある配線１（２０３）と伸縮性のある配線２（２０４）より接続される。部品群１（２０５）及び部品群２（２０６）は飾りのために配置され、電子機能がない場合、伸縮性のある配線１（２０３）と伸縮性のある配線２（２０４）は伸縮性が部品群１（２０５）及び部品群２（２０６）の中に通す。部品群１（２０５）または部品群２（２０６）の中には電子機能を実現できるために電力または信号必要とする部品がある場合、配線よりその他の部品と接続されるケースもあり、その配線は伸縮性があってもなくても良い。
【００２２】
たとえば、部品群１（２０５）または部品群２（２０６）は電子機能がない場合、部品１または基板１（２０１）が歩数を測定できる部品または基板とスマホと通信可能な無線機能を行える部品または基板を有し、部品２または基板２（２０２）がバッテリを有する場合、部品２または基板２（２０２）は伸縮性のある配線１（２０３）或いは伸縮性のある配線２（２０４）を経由し、部品１または基板１（２０１）にある歩数を測定できる部品または基板とスマホと通信可能な無線機能を行える部品または基板に電力を供給する。
伸縮性のある配線１（２０３）は部品群１（２０５）の中に通し、伸縮性のある配線２（２０４）は部品群２（２０６）の中に通す。
【００２３】
たとえば、部品群１（２０５）または部品群２（２０６）は電子機能がある場合、部品１または基板１（２０１）が歩数を測定できる部品または基板とスマホと通信可能な無線機能を行える部品または基板を有し、部品２または基板２（２０２）がバッテリを有し、部品群１（２０５）中の一部部品或いは部品群２（２０６）中の一部部品がなんらかの電子機能を有する場合、部品２または基板２（２０２）は伸縮性のある配線１（２０３）或いは伸縮性のある配線２（２０４）を経由し、部品１または基板１（２０１）にある歩数を測定できる部品または基板とスマホと通信可能な無線機能を行える部品または基板に電力を供給し、更に部品群１（２０５）中の一部部品或いは部品群２（２０６）中の一部部品にも電力を供給する。伸縮性のある配線１（２０３）或いは伸縮性のある配線２（２０４）は部品群１（２０５）或いは部品群２（２０６）中の電子機能を有しない部品の中に通す。
【００２４】
以上の通り、伸縮性のある配線で構成した本例のスマートバンドおいて、配線の収縮性と導電性があるため、スマートバンドに備えられた部品（各種センサー機能を有する基板（部品）、バッテリ、無線機能を有する基板（部品）、その他の部品）を一つのパッケージに収納する必要がなく、薄い小型の部品に分割することができ、スマートバンドを腕に装着後に腕にかかる各部品の重みを均等に分散させることができ、そのため人に不快感を与えにくい。また、装着する際、伸縮性のある配線を伸ばして、瞬時に腕に嵌め込むこともでき、装着時間を大幅に削減できる。
【００２５】
本発明のスマートバンドは腕に装着するものに加え、髪の毛を縛るヘアバンド等としても利用することができる。たとえば、歩数を測定できるセンサー、紫外線強度を測定できるセンサー、温度を測定できるセンサーを個々の部品または基板に装着し、バッテリを装着する部品または基板から伸縮性のある配線を経由し、上記の個々部品へ電力を供給するヘアバンド。
【符号の説明】
【００２６】
１２    伸縮性のない部分
１４    伸縮性のある部分
１６    無線部分を有する部品
１００    第一の態様のスマートバンド
１０１    部品１または基板１
１０２    部品２または基板２
１０３    伸縮性のある配線１
１０４    伸縮性のある配線２
２００    第二の態様のスマートバンド
２０１    部品１または基板１
２０２    部品２または基板２
２０３    伸縮性のある配線１
２０４    伸縮性のある配線２
２０５    部品群１
２０６    部品群２
【図１】
2018116432.tif 000003
【図２】
2018116432.tif 000004
【図３】
2018116432.tif 000005